(57)【要約】  広告管理システム１において、広告サーバー３は、インターネット広告の広告主に対して、１つ以上のキャンペーンと各キャンペーンの１つ以上の広告セットとを設定可能にし、各広告セットの複数の効果情報を収集する。広告サーバー３に接続される広告管理装置４において、キャンペーン管理画面提供部１８は、対象キャンペーンを選択可能なキャンペーン管理画面３２を管理端末７に表示させ、広告セット管理画面提供部１９は、対象キャンペーンの１つ以上の広告セットをパラレルコーディネートグラフで表示すると共に１つ以上の対象広告セットを選択可能な広告セット管理画面３３を管理端末７に表示させ、広告セット調整画面提供部２０は、１つ以上の対象広告セットの運用情報を調整可能な広告セット調整画面３４を管理端末７に表示させる。
2017029855.tif 000002
【特許請求の範囲】
【請求項１】
インターネットを利用して掲載される広告の広告主に対して広告アカウントを割り当て、前記広告主に対して広告の目的を示す１つ以上のキャンペーンを設定可能にし、前記１つ以上のキャンペーンのそれぞれについて広告の運用情報の組合せを示す１つ以上の広告セットを設定可能にし、前記１つ以上の広告セットのそれぞれについて１つ以上の掲載広告を設定可能に構成されていて、
更に、前記１つ以上の広告セットのそれぞれについて各広告セットの効果を示す複数の効果情報を収集する広告サーバーと、
前記広告サーバーに接続されて、前記キャンペーン、前記広告セット及び前記掲載広告の確認及び調整が可能な広告管理装置と、を備え、
前記広告管理装置は、前記１つ以上のキャンペーンの中から対象キャンペーンを選択可能とするキャンペーン管理画面を広告主の端末に表示させるキャンペーン管理画面提供部と、
前記キャンペーン管理画面で選択された前記対象キャンペーンに含まれる前記１つ以上の広告セットを、前記複数の効果情報を基軸としたパラレルコーディネートグラフによって表示すると共に、前記１つ以上の広告セットの中から１つ以上の対象広告セットを選択可能とする広告セット管理画面を前記広告主の端末に表示させる広告セット管理画面提供部と、
前記広告セット管理画面で選択された前記１つ以上の対象広告セットのそれぞれに含まれる前記運用情報を調整可能とする広告セット調整画面を前記広告主の端末に表示させる広告セット調整画面提供部と、
を備えることを特徴とする広告管理システム。
【請求項２】
前記広告セット管理画面提供部は、前記パラレルコーディネートグラフにおける前記基軸に沿ったスライド操作によって範囲を指定可能で、且つ、当該指定範囲に基づいて絞り込み範囲を決定可能に構成され、前記パラレルコーディネートグラフにおいて、前記絞り込み範囲内の前記広告セットを前記絞り込み範囲外の前記広告セットよりも明瞭に表示すると共に、前記絞り込み範囲内の前記広告セットのみを前記対象広告セットとして選択可能にすることを特徴とする請求項１に記載の広告管理システム。
【請求項３】
前記広告サーバーは、前記運用情報として入札価格を設定可能であり、
前記広告セット調整画面提供部は、前記広告セット管理画面で選択された前記１つ以上の対象広告セットのそれぞれの入札価格をスライド調整可能な入札価格スライドバーで表示すると共に、前記１つ以上の対象広告セットの平均の入札価格を一括してスライド調整可能な平均入札価格スライドバーで表示することを特徴とする請求項１又は請求項２に記載の広告管理システム。
【請求項４】
前記広告サーバーは、前記運用情報として予算を設定可能であり、
前記広告セット調整画面提供部は、前記広告セット管理画面で選択された前記１つ以上の対象広告セットのそれぞれの予算をスライド調整可能な予算スライドバーで表示すると共に、前記１つ以上の対象広告セットの予算を一括してスライド調整可能な合計予算スライドバーで表示することを特徴とする請求項１又は請求項２に記載の広告管理システム。
【請求項５】
前記広告セット調整画面提供部は、前記広告セット管理画面で選択された前記１つ以上の対象広告セットのそれぞれの入札価格を一括して調整する複数種類の一括調整方法を列挙した一括調整方法選択リストを前記広告セット調整画面に表示し、前記一括調整方法選択リストで選択された前記一括調整方法に基づいて、前記１つ以上の対象広告セットを一括して調整可能に構成されることを特徴とする請求項３に記載の広告管理システム。
【請求項６】
前記広告セット調整画面提供部は、前記広告セット管理画面で選択された前記１つ以上の対象広告セットのそれぞれの予算を一括して調整する複数種類の一括調整方法を列挙した一括調整方法選択リストを前記広告セット調整画面に表示し、前記一括調整方法選択リストで選択された前記一括調整方法に基づいて、前記１つ以上の対象広告セットを一括して調整可能に構成されることを特徴とする請求項４に記載の広告管理システム。
【請求項７】
前記広告セット調整画面提供部は、前記合計予算スライドバーを前記対象キャンペーンの全体の予算の範囲内で調整可能に表示することを特徴とする請求項４に記載の広告管理システム。
【請求項８】
インターネットを利用して掲載される広告の広告主に対して広告アカウントを割り当て、前記広告主に対して広告の目的を示す１つ以上のキャンペーンを設定可能にし、前記１つ以上のキャンペーンのそれぞれについて広告の運用情報の組合せを示す１つ以上の広告セットを設定可能にし、前記１つ以上の広告セットのそれぞれについて１つ以上の掲載広告を設定可能に構成されていて、更に、前記１つ以上の広告セットのそれぞれについて各広告セットの効果を示す複数の効果情報を収集する広告サーバーに接続されて、前記キャンペーン、前記広告セット及び前記掲載広告の確認及び調整が可能に構成されていて、
前記１つ以上のキャンペーンの中から対象キャンペーンを選択可能とするキャンペーン管理画面を広告主の端末に表示させるキャンペーン管理画面提供部と、
前記キャンペーン管理画面で選択された前記対象キャンペーンに含まれる前記１つ以上の広告セットを、前記複数の効果情報を基軸としたパラレルコーディネートグラフによって表示すると共に、前記１つ以上の広告セットの中から１つ以上の対象広告セットを選択可能とする広告セット管理画面を前記広告主の端末に表示させる広告セット管理画面提供部と、
前記広告セット管理画面で選択された前記１つ以上の対象広告セットのそれぞれに含まれる前記運用情報を調整可能とする広告セット調整画面を前記広告主の端末に表示させる広告セット調整画面提供部と、
を備えることを特徴とする広告管理装置。
【請求項９】
前記広告セット管理画面提供部は、前記パラレルコーディネートグラフにおける前記基軸に沿ったスライド操作によって範囲を指定可能で、且つ、当該指定範囲に基づいて絞り込み範囲を決定可能に構成され、前記パラレルコーディネートグラフにおいて、前記絞り込み範囲内の前記広告セットを前記絞り込み範囲外の前記広告セットよりも明瞭に表示すると共に、前記絞り込み範囲内の前記広告セットのみを前記対象広告セットとして選択可能にすることを特徴とする請求項８に記載の広告管理装置。
【請求項１０】
前記広告サーバーは、前記運用情報として入札価格を設定可能であり、
前記広告セット調整画面提供部は、前記広告セット管理画面で選択された前記１つ以上の対象広告セットのそれぞれの入札価格をスライド調整可能な入札価格スライドバーで表示すると共に、前記１つ以上の対象広告セットの平均の入札価格を一括してスライド調整可能な平均入札価格スライドバーで表示することを特徴とする請求項８又は請求項９に記載の広告管理装置。
【請求項１１】
前記広告サーバーは、前記運用情報として予算を設定可能であり、
前記広告セット調整画面提供部は、前記広告セット管理画面で選択された前記１つ以上の対象広告セットのそれぞれの予算をスライド調整可能な予算スライドバーで表示すると共に、前記１つ以上の対象広告セットの予算を一括してスライド調整可能な合計予算スライドバーで表示することを特徴とする請求項８又は請求項９に記載の広告管理装置。
【請求項１２】
前記広告セット調整画面提供部は、前記広告セット管理画面で選択された前記１つ以上の対象広告セットのそれぞれの入札価格を一括して調整する複数種類の一括調整方法を列挙した一括調整方法選択リストを前記広告セット調整画面に表示し、前記一括調整方法選択リストで選択された前記一括調整方法に基づいて、前記１つ以上の対象広告セットを一括して調整可能に構成されることを特徴とする請求項１０に記載の広告管理装置。
【請求項１３】
前記広告セット調整画面提供部は、前記広告セット管理画面で選択された前記１つ以上の対象広告セットのそれぞれの予算を一括して調整する複数種類の一括調整方法を列挙した一括調整方法選択リストを前記広告セット調整画面に表示し、前記一括調整方法選択リストで選択された前記一括調整方法に基づいて、前記１つ以上の対象広告セットを一括して調整可能に構成されることを特徴とする請求項１１に記載の広告管理装置。
【請求項１４】
前記広告セット調整画面提供部は、前記合計予算スライドバーを前記対象キャンペーンの全体の予算の範囲内で調整可能に表示することを特徴とする請求項１１に記載の広告管理装置。
【発明の詳細な説明】
【技術分野】
【０００１】
本発明は、インターネット広告の運用情報や効果情報の確認及び調整が可能な広告管理システム及び広告管理装置に関する。
【背景技術】
【０００２】
製品やサービスを宣伝するインターネット広告をインターネットのウェブサイト等を利用して掲載する広告配信システムが知られている。インターネット広告は、例えば、検索エンジンサイト、電子商取引（ＥＣ：Ｅｌｅｃｔｒｏｎｉｃ  Ｃｏｍｍｅｒｃｅ）サイト、ソーシャルネットワーキングサービス（ＳＮＳ：Ｓｏｃｉａｌ  Ｎｅｔｗｏｒｋｉｎｇ  Ｓｅｒｖｉｃｅ）サイト等の様々なウェブサイトの広告枠に表示される。広告配信システムには、例えば、ウェブサイトを提供するウェブサーバーとは独立してインターネット広告（以下、単に広告と称することもある）を配信する広告サーバーを備えるものがある。【０００３】
例えば、ＳＮＳを提供するＳＮＳ提供システムでは、ＳＮＳ提供装置（ＳＮＳサーバー）を備えて、アカウントを有するユーザーの端末（ユーザー端末）からの記事や写真の投稿が可能になっている。また、このようなＳＮＳ提供システムでは、ＳＮＳサーバーや広告サーバーを備えて、ユーザー端末のタイムライン等の表示領域に、広告主からの広告を表示させるように広告配信システムが構成される。【０００４】
広告配信システムでは、広告主のアカウントに対して多数の広告キャンペーンを設定可能にして各広告キャンペーンに異なる広告の目的を設定できる広告構造を採用したものがある。この広告構造では、各広告キャンペーンに対して多数の広告セットを設定可能にして各広告セットに異なる広告の運用情報を設定することができる。更に、各広告セットに対して多数の掲載広告を設定することができ、それぞれの掲載広告に異なる広告の記事や写真、並びにそれらの配置を設定することができる。【０００５】
広告配信システムでは、ウェブサイトにおいて掲載される広告についてどのような運用情報が設定されたかに応じて、掲載された広告の効果が異なるため、閲覧やクリック等のアクションの回数や、広告にかけた予算に対して行われるアクションの費用対効果等の効果情報を広告セット毎に収集して広告主に提示するものがある。なお、広告の効果を詳細に分析できるように、広告配信システムでは、多数の効果情報を提示することが求められている。広告主は、様々な広告セットについて、運用情報や効果情報を確認して、その確認結果に応じて各広告セットの掲載広告や運用情報を調整することが可能となる。【０００６】
例えば、特許文献１には、多次元広告入札に係る技術が開示されている。この技術によれば、オンライン広告システムは広告主から広告を受信する。広告主は広告に関連付けられた予算、期間、制約、インプレション目標及びパフォーマンス重み付けも提供することができる。広告システムに対してクライアントから広告が要求されると、広告に関連付けられた予算及び／又は広告に関連付けられたインプレッション目標に基づいて、各広告の付け値を決定することができる。広告要求に関連付けられた広告パフォーマンスを予測し、広告要求に関連付けられたパフォーマンス重み付けと予測パフォーマンスとに基づいて、各広告の付け値を決定することができる。広告による予算消費のペースによって、又は広告が広告のインプレッション目標に近づくペースによって、広告の付け値に重み付けすることができる。広告について決定された付け値に基づいて、１又は複数の広告の中からクライアントに表示する広告を選択する。
【先行技術文献】
【特許文献】
【０００７】
【特許文献１】特表２０１４−５３３４０５号公報
【発明の概要】
【発明が解決しようとする課題】
【０００８】
上記したように、広告配信システムでは、広告主のアカウントに対して設定される各キャンペーンに対して多数の広告セットを設定することができる。また、それぞれの広告セットに対して多数の運用情報を設定することができ、また、広告主に対して広告セット毎に多数の効果情報を提示することが可能になっている。しかしながら、従来の広告配信システムは、各広告セットの運用情報や効果情報を単なる数値や表等からなるレポートによって広告主に提示するだけである。従って、広告主は、多数の広告セットの多数の運用情報や効果情報を比較して確認することが困難であり、広告の管理作業の負担が大きくなり、また、データの読み違え等が生じる恐れがある。また、広告主は、各広告セットの運用情報や効果情報を単なる数値や表からなるレポートで確認しても、それらの情報に紐付いている広告セットの運用情報等を即座に調整することができず、広告の管理作業が困難になっている。また、従来の広告配信システムでは、広告主は、多数の広告セットの１つずつについて、運用情報や効果情報を参照及び考慮しながら多数の運用情報の１つずつを調整する必要がある。そのため、複数の広告セットや複数の運用情報について、運用情報や効果情報を参照及び考慮しながら同一の設定や同じ割合で数値調整する際に非常に手間が掛かる。【０００９】
そこで、本発明は上記事情を考慮し、インターネット広告の管理作業の負担やその運用情報の調整の負担を軽減し、インターネット広告の利用向上を図ることを目的とする。
【課題を解決するための手段】
【００１０】
上記課題を解決するために、本発明の広告管理システムは、広告サーバーと、広告管理装置とを備える。広告サーバーは、インターネットを利用して掲載される広告の広告主に対して広告アカウントを割り当てる。広告サーバーは、前記広告主に対して広告の目的を示す１つ以上のキャンペーンを設定可能にし、前記１つ以上のキャンペーンのそれぞれについて広告の運用情報の組合せを示す１つ以上の広告セットを設定可能にし、前記１つ以上の広告セットのそれぞれについて１つ以上の掲載広告を設定可能に構成されている。更に、広告サーバーは、前記１つ以上の広告セットのそれぞれについて各広告セットの効果を示す複数の効果情報を収集する。広告管理装置は、前記広告サーバーに接続されて、前記キャンペーン、前記広告セット及び前記掲載広告の確認及び調整が可能に構成される。前記広告管理装置は、キャンペーン管理画面提供部と、広告セット管理画面提供部と、広告セット調整画面提供部とを備える。キャンペーン管理画面提供部は、前記１つ以上のキャンペーンの中から対象キャンペーンを選択可能とするキャンペーン管理画面を広告主の端末に表示させる。広告セット管理画面提供部は、前記キャンペーン管理画面で選択された前記対象キャンペーンに含まれる前記１つ以上の広告セットを、前記複数の効果情報を基軸としたパラレルコーディネートグラフによって表示すると共に、前記１つ以上の広告セットの中から１つ以上の対象広告セットを選択可能とする広告セット管理画面を前記広告主の端末に表示させる。広告セット調整画面提供部は、前記広告セット管理画面で選択された前記１つ以上の対象広告セットのそれぞれに含まれる前記広告セットを調整可能とする広告セット調整画面を前記広告主の端末に表示させる。【００１１】
本発明の広告管理システムによれば、多数の広告セットの多数の運用情報や効果情報をパラレルコーディネートグラフで表示した広告セット管理画面を広告主や管理者の端末へと提供する。そのため、広告主や管理者は、多数の広告セットの多数の運用情報や効果情報を比較しつつ確認することが容易になる。これにより、広告主や管理者の広告の管理作業の負担が軽減され、データの読み違え等を防止することが可能となる。更に、広告セットの運用情報について調整が必要な１つ以上の（複数の）ものを一目で確認すると共に即座に検出することができる。また、運用情報の調整が必要な広告セットの選択操作によって、１つ以上の（複数の）広告セットの運用情報を一括して調整可能な広告セット調整画面を導くことができる。そのため、広告セットの運用情報の調整までの手順が簡略化され、広告の管理作業が最適化される。【００１２】
また、前記広告セット管理画面提供部は、前記パラレルコーディネートグラフにおける前記基軸に沿ったスライド操作によって範囲を指定可能で、且つ、当該指定範囲に基づいて絞り込み範囲を決定可能に構成される。また、広告セット管理画面提供部は、前記パラレルコーディネートグラフにおいて、前記絞り込み範囲内の前記広告セットを前記絞り込み範囲外の前記広告セットよりも明瞭に表示すると共に、前記絞り込み範囲内の前記広告セットのみを前記対象広告セットとして選択可能にする。【００１３】
これにより、広告主や管理者は、パラレルコーディネートグラフを用いて絞り込み範囲を容易に決定し、運用情報の調整が必要な広告セットを容易に検出することができる。従って、広告主や管理者は、運用情報の調整が必要な広告セットについて、１つ以上の（複数の）広告セットの運用情報を一括して調整可能な広告セット調整画面まで即座に導かれるため、広告の管理作業が最適化される。【００１４】
また、前記広告サーバーは、前記運用情報として入札価格を設定可能である。前記広告セット調整画面提供部は、前記広告セット管理画面で選択された前記１つ以上の対象広告セットのそれぞれの入札価格をスライド調整可能な入札価格スライドバーで表示する。また、広告セット調整画面提供部は、前記１つ以上の対象広告セットの平均の入札価格を一括してスライド調整可能な平均入札価格スライドバーで表示する。【００１５】
これにより、広告主や管理者は、複数の広告セットについて比較及び確認しつつ、効果情報に基づいて入札価格を容易に修正することが可能となる。このとき、広告主や管理者は、広告セットの１つずつについて、又は複数の広告セットを一括して、あるいは、調整が必要な幾つかの広告セットを選択して一括して、入札価格を調整することが可能である。【００１６】
また、前記広告セット調整画面提供部は、前記広告セット管理画面で選択された前記１つ以上の対象広告セットのそれぞれの入札価格を一括して調整する複数種類の一括調整方法を列挙した一括調整方法選択リストを前記広告セット調整画面に表示する。そして、広告セット調整画面提供部は、前記一括調整方法選択リストで選択された前記一括調整方法に基づいて、前記１つ以上の対象広告セットを一括して調整可能に構成される。【００１７】
これにより、複数の対象広告セットの入札価格について所望の一括調整方法で一括して調整することができ、広告主や管理者の手間を軽減することができる。【００１８】
あるいは、前記広告サーバーは、前記運用情報として予算を設定可能である。前記広告セット調整画面提供部は、前記広告セット管理画面で選択された前記１つ以上の対象広告セットのそれぞれの予算をスライド調整可能な予算スライドバーで表示する。また、広告セット調整画面提供部は、前記１つ以上の対象広告セットの予算を一括してスライド調整可能な合計予算スライドバーで表示する。【００１９】
これにより、広告主や管理者は、複数の広告セットについて比較及び確認しつつ、効果情報に基づいて予算を容易に修正することが可能となる。このとき、広告主や管理者は、広告セットの１つずつについて、又は複数の広告セットを一括して、あるいは、調整が必要な幾つかの広告セットを選択して一括して、予算を調整することが可能である。【００２０】
また、前記広告セット調整画面提供部は、前記広告セット管理画面で選択された前記１つ以上の対象広告セットのそれぞれの予算を一括して調整する複数種類の一括調整方法を列挙した一括調整方法選択リストを前記広告セット調整画面に表示する。そして、広告セット調整画面提供部は、前記一括調整方法選択リストで選択された前記一括調整方法に基づいて、前記１つ以上の対象広告セットを一括して調整可能に構成される。【００２１】
これにより、複数の対象広告セットの予算について所望の一括調整方法で一括して調整することができ、例えば、設定する入札価格や、実際の単価に合わせて予算の自動配分をすることができるため、広告主や管理者の手間を軽減することができる。【００２２】
また、前記広告セット調整画面提供部は、前記合計予算スライドバーを前記対象キャンペーンの全体の予算の範囲内で調整可能に表示する。【００２３】
これにより、数値を入力する必要も、計算する必要もなく、視覚的及び感覚的に設定可能なキャンペーン予算範囲内で、かつ、合計金額を確認しながら広告セットの予算を全体的に上げる又は下げる調整が可能になる。これにより、逐次数値を入れて確認するのではなく、スライドの動きに付随して各広告セットの予算が変更されるため、単純に予算を上げる又は下げる調整を、素早く行うことが可能になる。【００２４】
上記課題を解決するために、本発明の広告管理装置は、上述した広告管理システムに備わる広告管理装置と同様の構成及び効果を有する。
【発明の効果】
【００２５】
本発明によれば、インターネット広告の管理作業の負担やその運用情報の調整の負担を軽減し、インターネット広告の利用向上を図ることが可能となる。
【図面の簡単な説明】
【００２６】
【図１】本発明の一実施形態に係る広告管理システムを概略的に示すブロック図である。
【図２】本発明の一実施形態に係る広告管理システムにおいて広告管理装置のログイン画面提供部が提供するログイン画面の例を示す模式図である。
【図３】本発明の一実施形態に係る広告管理システムにおいて広告管理装置のツール開始画面提供部が提供するツール開始画面の例を示す模式図である。
【図４】本発明の一実施形態に係る広告管理システムにおいて広告管理装置のキャンペーン管理画面提供部が提供するキャンペーン管理画面の例を示す模式図である。
【図５】本発明の一実施形態に係る広告管理システムにおいて広告管理装置の広告セット管理画面提供部が提供する広告セット管理画面の上部の例を示す模式図である。
【図６】本発明の一実施形態に係る広告管理システムにおいて広告管理装置の広告セット管理画面提供部が提供する広告セット管理画面のパラレルコーディネートグラフの例を示す模式図である。
【図７】本発明の一実施形態に係る広告管理システムにおいて広告管理装置の広告セット管理画面提供部が提供する広告セット管理画面の中央部の例を示す模式図である。
【図８】本発明の一実施形態に係る広告管理システムにおいて広告管理装置の広告セット管理画面提供部が提供する広告セット管理画面の下部の例を示す模式図である。
【図９】本発明の一実施形態に係る広告管理システムにおいて広告管理装置の広告セット調整画面提供部が提供する広告セット調整画面としての入札価格調整画面の例を示す模式図である。
【図１０】本発明の一実施形態に係る広告管理システムにおいて広告管理装置の広告セット調整画面提供部が提供する広告セット調整画面としての予算調整画面の例を示す模式図である。
【図１１】本発明の一実施形態に係る広告管理システムにおいて広告管理装置の広告セット管理画面提供部が表示させる表示項目設定画面の例を示す模式図である。
【図１２】本発明の一実施形態に係る広告管理システムにおいて、広告管理装置の広告セット調整画面提供部が提供する広告セット調整画面としての予算調整画面に表示される予算スライドバーの例を示す模式図である。
【図１３】本発明の他の実施形態に係る広告管理システムを概略的に示すブロック図である。
【発明を実施するための形態】
【００２７】
先ず、図１を参照しながら、本発明の実施形態に係る広告管理システム１の全体の構成について説明する。広告管理システム１は、インターネットのウェブサイト等に掲載されて製品やサービスを宣伝するインターネット広告について、運用情報や効果情報の確認及び調整を行うシステムである。
【００２８】
インターネット広告は、ネット広告やオンライン広告等と称されることもあり、以下では、単に広告と称する。広告は、例えば、企業サイト、検索エンジンサイト、電子商取引（ＥＣ：Ｅｌｅｃｔｒｏｎｉｃ  Ｃｏｍｍｅｒｃｅ）サイト、動画や音楽等のコンテンツ配信サイト、ソーシャルネットワーキングサービス（ＳＮＳ：Ｓｏｃｉａｌ  Ｎｅｔｗｏｒｋｉｎｇ  Ｓｅｒｖｉｃｅ）サイト等の様々なウェブサイトの広告枠に表示される。広告は、ウェブサイトの種類に拘らず様々な配信方法で分類され、例えば、性別や年齢等の属性情報によって配信対象を制限するデモグラフィックターゲティング広告、ユーザーの過去の閲覧ページの状況に応じて関連性の高い広告を表示する行動ターゲティング広告、検索キーワードに連動する検索連動型広告、コンテンツの内容に連動するコンテンツ連動型広告、携帯電話の現在地に連動する位置連動型広告等に分類される。
【００２９】
本実施形態では、ウェブサイトとしてＳＮＳサイトに掲載される広告の運用情報や効果情報を管理する広告管理システム１について説明するが、広告管理システム１が管理する広告の掲載されるウェブサイトはＳＮＳサイトに限定されない。
【００３０】
図１に示されるように、広告管理システム１では、ウェブサーバーであるＳＮＳサーバー２と、広告サーバー３と、広告管理装置４とが、インターネット等のネットワーク５上に設けられている。例えば、広告管理システム１は、ＳＮＳサーバー２がＳＳＰ（Ｓｕｐｐｌｙ−Ｓｉｄｅ  Ｐｌａｔｆｏｒｍ）を利用し、広告サーバー３がＤＳＰ（Ｄｅｍａｎｄ−Ｓｉｄｅ  Ｐｌａｔｆｏｒｍ）を利用して、広告のリアルタイム入札（ＲＴＢ：Ｒｅａｌ  Ｔｉｍｅ  Ｂｉｄｄｉｎｇ）を実現するように構成される。なお、例えば、ＳＮＳサーバー２は、ＤＭＰ（Ｄａｔａ  Ｍａｎａｇｅｍｅｎｔ  Ｐｌａｔｆｏｒｍ）を利用してＳＮＳサービスで活用されるユーザー等のパーソナルデータを収集・管理できるように構成される。
【００３１】
また、広告管理システム１では、ＳＮＳサーバー２にアカウント（ＳＮＳアカウント）を有するユーザー（以下、ＳＮＳユーザーと称する）のユーザー端末６と、広告サーバー３にアカウント（広告アカウント）を有する広告主やこの広告主から広告の管理を許可された管理者等によって操作される管理端末７とが、ネットワーク５に接続される。なお、広告管理システム１では、複数のユーザー端末６及び複数の管理端末７が設けられてよいが、図１では、ユーザー端末６及び管理端末７は、説明の便宜上、それぞれ１つずつ図示されている。
【００３２】
次に、ＳＮＳサーバー２について説明する。ＳＮＳサーバー２は、ＳＮＳを提供する事業者によって運営されるサーバーであり、一の事業者が複数のＳＮＳサーバー２を運営してよいが、図１では、説明の便宜上、１つのＳＮＳサーバー２が図示されている。
【００３３】
ＳＮＳサーバー２は、ＳＮＳを提供すべきユーザー毎にＳＮＳアカウントを割り当てて保存する。ＳＮＳサーバー２は、ＳＮＳアカウントを有するＳＮＳユーザーに固有のＳＮＳサイトを管理すると共に、当該ＳＮＳユーザーのユーザー端末６に対して提供可能に構成される。ＳＮＳサーバー２は、ＳＮＳアカウントを有するＳＮＳユーザーのユーザー端末６からの投稿を受け付けて、当該ＳＮＳユーザーのＳＮＳサイトに反映し、例えば、受け付けた投稿をタイムラインに表示する。ＳＮＳユーザーは、割り当てられたＳＮＳアカウントを用いてＳＮＳサーバー２にログインすることで投稿することが可能となる。
【００３４】
また、ＳＮＳサーバー２は、広告サーバー３と連携して動作可能に構成され、ＳＮＳアカウントを有するＳＮＳユーザーに固有のユーザー情報を広告サーバー３と共有している。そして、ＳＮＳサーバー２は、特定のＳＮＳユーザーをターゲットとする広告の表示指示を広告サーバー３から受けると、そのターゲットのＳＮＳユーザーのＳＮＳサイトに広告を掲載してユーザー端末６へと提供する。また、ＳＮＳサーバー２は、ＳＮＳサイトに掲載される広告についてのアクションをユーザー端末６から受信して広告サーバー３へと送信する。
【００３５】
次に、広告サーバー３について説明する。広告サーバー３は、ＳＮＳサーバー２と連携して動作するサーバーであり、ＳＮＳサーバー２と同じ事業者によって運営されるサーバーでもよく、又は他の事業者によって運営されるサーバーでもよい。一の事業者が複数の広告サーバー３を運営してよいが、図１では、説明の便宜上、１つの広告サーバー３が図示されている。
【００３６】
広告サーバー３は、ＳＮＳサーバー２が提供するＳＮＳでの広告の掲載を所望する広告主毎に対して広告アカウントを割り当てて保存する。広告主は、ＳＮＳユーザーと同一ででもよく、広告主の広告アカウントは、ＳＮＳアカウントと同一でもよい。又は、広告主は、ＳＮＳユーザー以外の者でもよく、広告専用の広告アカウントが割り当てられてもよい。広告サーバー３は、広告アカウントを有する広告主の広告を管理すると共に、特定のＳＮＳユーザーをターゲットとする広告の表示をＳＮＳサーバー２へと指示し、即ち、特定のターゲットに広告を配信する。広告主は、割り当てられた広告アカウントを用いて広告サーバー３にログインすることで広告の依頼や設定を管理することが可能となる。
【００３７】
また、広告サーバー３は、広告主が所定の管理者による広告の管理を許可する場合、広告主の広告アカウントに対応付けた管理アカウントを管理者に割り当ててもよい。管理アカウントは、広告主の許可に応じて管理者に配布可能になる。管理者は、割り当てられた管理アカウントを用いて広告サーバー３にログインすることで広告の依頼や設定を管理することが可能となる。なお、広告サーバー３は、管理アカウントを割り当てるとき、広告主の要望に応じた範囲で制限を設定し、管理アカウントを用いた管理者による広告の管理をその設定範囲内に制限することができる。以下では、管理者による広告の管理については、広告主による広告の管理と同様であるため、説明を省略する。
【００３８】
本実施形態の広告サーバー３においてＳＮＳに付随して提供される広告は、広告アカウントと、キャンペーンと、広告セットと、掲載広告とからなる階層構造で作成される。
【００３９】
広告アカウントは、広告主に固有の情報（識別情報）であり、上記階層構造において最上位に位置する。広告アカウントは、例えば、広告主に固有のＩＤやパスワードで識別され、広告主は、ＩＤとパスワードとを広告サーバー３に認証させることで広告サーバー３にログインすることができる。
【００４０】
キャンペーンは、広告の目的等を示す情報であり、上記階層構造において広告アカウントの下位（第二位）に位置する。広告サーバー３は、広告主が１つの広告アカウントに対して１つ以上のキャンペーンを設定できるように構成される。各キャンペーンは、例えば、キャンペーンＩＤやキャンペーン名で識別可能となり、広告主は、広告サーバー３に対して所望のキャンペーン名を設定可能である。
【００４１】
広告サーバー３は、例えば、「ウェブサイトのアクセスを増やす」、「ウェブサイトのコンバージョンを増やす」、「投稿を宣伝」「ＳＮＳサイトを宣伝」「アプリのインストール数を増やす」、「アプリのエンゲージメントを増やす」、「イベントの参加者を増やす」、「クーポンの取得を増やす」、「動画の再生数を増やす」等の様々な広告の目的の内の１つをキャンペーンとして設定可能とする。
【００４２】
広告セットは、広告のターゲット、予算、入札価格、掲載期間等の運用情報の組合せ（パターン）を示す情報であり、上記階層構造においてキャンペーンの下位（第三位）に位置する。広告サーバー３は、広告アカウントを有する広告主が各キャンペーンに対して１つ以上の広告セットを設定できるように構成される。各広告セットは、例えば、広告セットＩＤや広告セット名で識別可能となり、広告主は、広告サーバー３に対して所望の広告セット名を設定可能である。
【００４３】
広告サーバー３は、例えば、ターゲットとして、「地域」、「年齢」、「性別」、「言語」等を設定可能とし、更に詳細に、「交際」、「学歴」、「職歴」、「民族」、「世代」、「子供がいる人」、「政治」、「ライフイベント」等を設定可能としてもよい。また、広告サーバー３は、例えば、予算として、最終的な予算、一日当たりの予算等を設定可能とし、入札価格として、平均単価や広告セット毎の単価を設定可能とする。更に、広告サーバー３は、例えば、掲載期間として、開始日及び終了日や継続的な掲載を設定可能とする。
【００４４】
掲載広告は、ＳＮＳサイトに掲載される広告自体であって、画像やテキスト等の広告素材からなる。掲載広告は、上記階層構造において広告セットの下位（第四位、最下位）に位置する。広告サーバー３は、広告アカウントを有する広告主が各広告セットに対して１つ以上の掲載広告を設定できるように構成される。各掲載広告は、例えば、掲載広告ＩＤや掲載広告名で識別可能となり、広告主は、広告サーバー３に対して所望の掲載広告名を設定可能である。
【００４５】
広告サーバー３は、例えば、広告が掲載される端末の種類やＳＮＳの種類に応じて異なる複数の掲載広告を１つの広告セットに対して設定可能である。広告サーバー３は、掲載広告を作成するための所定の大きさの広告画面を予め定義し、広告主は、この広告画面に対して画像やテキスト等の広告素材を所望の配置で設定可能である。
【００４６】
更に、広告サーバー３は、上記階層構造とは別に、各広告セットの下で掲載された広告の予算や期間の経過情報を収集する。予算の経過情報は、運用情報として設定された予算や単価に基づいて、広告サーバー３による広告の掲載の実績に基づいて算出可能であり、日、週、月等の期間毎に算出することも可能である。予算の経過情報には、例えば、予算、消化額、消化率、予算残高、１日推定予算、今日の消化額、今日の消化率、今日の残高等がある。期間の経過情報は、運用情報として設定された開始日時や終了日時などの期間情報に基づいて、広告サーバー３での時間経過に基づいて算出可能である。期間の経過情報には、例えば、消化ペース、経過日数、経過日数率、残日数等がある。
【００４７】
また、広告サーバー３は、上記階層構造とは別に、各広告セットの下で掲載された広告の効果を示す複数の効果情報（インプレッション、クリック等）を収集する。効果情報は、例えば、ユーザー端末６から広告が掲載されたＳＮＳサイト又はその広告へのアクセスや、ユーザー端末６でのＳＮＳサイト又は広告に対する操作を、ＳＮＳサーバー２が検出して広告サーバー３に通知し、又は広告サーバー３が検出してよい。
【００４８】
効果情報には、例えば、掲載広告の表示に係る効果情報、掲載広告へのクリックに係る効果情報、掲載広告へのアクションに係る効果情報、掲載広告のコンバージョンに係る効果情報等がある。掲載広告の表示に係る効果情報には、インプレッション、ＣＰＭ、リーチ、ＣＰＰ（ｕＣＰＭ）、ソーシャルインプレッション、ソーシャルＣＰＭ、ソーシャルリーチ、ソーシャルＣＰＰ、フリークエンシー等がある。掲載広告のクリックに係る効果情報には、ＣＴＲ、ＣＴＲ（ユニーク）、クリック数、ＣＰＣ（クリック単価）、クリック実行者数、ユニーククリック（単価）、ソーシャルクリック、ソーシャルクリック実行者数等がある。掲載広告のアクションに係る効果情報には、アクション数、ＣＰＡ（アクション単価）、アクション実行者数、アクション実行者数（単価）、アクション／インプレッション、アクション価値等がある。掲載広告のコンバージョンに係る効果情報には、目的のコンバージョン数、目的のコンバージョン単価、コンバージョン／インプレッション、目的のＣＶＲ、目的のコンバージョン価値等がある。また、上記した掲載広告へのアクションの効果情報は、様々なアクションの効果情報の総数である。例えば、掲載広告へのアクションには、ページエンゲージメント／来店販売、投稿エンゲージメント、ウェブサイトコンバージョン、モバイルアプリ、ＰＣアプリ、動画再生、商用イベント等の様々な種類のアクションがあり、広告サーバー３は、各アクションの単価、数、ユニーク値等の項目毎の効果情報も収取可能である。
【００４９】
なお、広告サーバー３は、広告主の広告アカウントのログインや、広告の情報（キャンペーン、広告セット、掲載広告）の取得や、広告セットの各運用情報の設定や、効果情報の閲覧を行うためのＡＰＩを予め備えている。換言すれば、広告サーバー３は、ＡＰＩを利用してログインした広告アカウントの広告について、広告セットの各運用情報の設定や、効果情報の閲覧を可能としている。
【００５０】
次に、広告管理装置４について説明する。なお、広告管理システム１では、複数の広告管理装置４が設けられてもよいが、図１では、説明の便宜上、１つの広告管理装置４が図示されている。
【００５１】
広告管理装置４は、広告サーバー３での広告の管理が許可されている広告主や管理者に対して広告管理ツールを提供するもので、これらの広告主や管理者に対して個別に広告管理ツールの利用アカウントを割り当てる。利用アカウントは、広告主の広告アカウントや管理者の管理アカウント（管理者の管理アカウントに対応付けられた広告アカウント）に対応付けられて広告管理装置４に保存される。なお、利用アカウントは、広告主の広告アカウントや管理者の管理アカウントと同じものでもよい。広告主や管理者は、割り当てられた利用アカウントを用いて広告管理装置４にログインすることで広告管理ツールの利用が可能となる。なお、管理者は、広告主に許可された制限の範囲内で、広告主と同様に、広告管理ツールを利用することができる。
【００５２】
広告管理装置４は、例えば、制御部１０と、記憶部１１と、通信部１２と、広告管理ツール提供部１３と、を備え、ＰＣやサーバーのようにプログラムを実行可能な装置である。なお、広告管理ツール提供部１３は、記憶部１１に記憶され、制御部１０によって制御されることで動作するプログラムで構成されるものでよい。
【００５３】
制御部１０は、ＣＰＵ（Ｃｅｎｔｒａｌ  Ｐｒｏｃｅｓｓｉｎｇ  Ｕｎｉｔ）等を有して、広告管理装置４の全体の動作を統括して制御するように構成される。記憶部１１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリや、ハードディスク等の記録媒体を有して、制御部１０で制御される情報やデータ、プログラム等を記憶するように構成される。
【００５４】
通信部１２は、広告管理装置４がインターネット等のネットワーク５に接続するためのインタフェースであり、即ち、広告管理装置４を広告サーバー３や管理端末７とネットワーク５を介して接続する。広告管理装置４は、通信部１２がネットワーク５を介して広告サーバー３と接続することで、広告サーバー３で用意されたＡＰＩを利用可能に構成されている。また、広告管理装置４は、通信部１２が管理端末７からのネットワーク５を介したアクセスを受けると、ネットワーク５を介して管理端末７と接続する。
【００５５】
広告管理ツール提供部１３は、上記のように広告管理装置４に接続した管理端末７に対して広告管理ツールを提供するもので、例えば、ウェブサイトやアプリケーションで実現される広告管理ツールを提供する。本実施形態では、ウェブサイトで実現される広告管理ツールを提供する広告管理ツール提供部１３について説明する。
【００５６】
広告管理ツール提供部１３は、広告管理ツールのウェブサイトとして、ログイン画面３０（図２参照）、ツール開始画面３１（図３参照）、キャンペーン管理画面３２（図４参照）、広告セット管理画面３３（図５、図７、図８参照）及び広告セット調整画面３４（図９、図１０参照）を提供するように構成される。広告管理ツール提供部１３は、広告管理ツールの各ウェブサイトを提供するために、例えば、ログイン画面提供部１５と、利用アカウント認証部１６と、ツール開始画面提供部１７と、キャンペーン管理画面提供部１８と、広告セット管理画面提供部１９と、広告セット調整画面提供部２０と、を備える。
【００５７】
ログイン画面提供部１５は、広告管理装置４に接続した管理端末７に対して、初めに、利用アカウントの入力（ログイン操作）を可能にする図２に示すようなログイン画面３０のウェブサイトを提供する。ログイン画面提供部１５は、例えば、利用アカウントのＩＤの入力ボックス４０、パスワードの入力ボックス４１、ログインボタン４２を表示したログイン画面３０を提供する。
【００５８】
利用アカウント認証部１６は、ログイン画面提供部１５がログイン画面３０のウェブサイトを提供した管理端末７で利用アカウントの入力が実行されると、この利用アカウントの認証処理を行う。利用アカウント認証部１６が利用アカウントを認証すると、利用アカウント認証部１６は、この利用アカウントに対応付けられた広告アカウントを用いて、広告サーバー３のＡＰＩを利用して広告サーバー３へのログインを実行する。利用アカウントに対応付けられた広告アカウントを用いた広告サーバー３へのログインが成功すると、管理端末７は広告管理ツールに対してログインした状態になり、広告管理ツール（広告管理装置４）は、この広告アカウントに関する広告の情報（キャンペーン、広告セット、掲載広告）を、ＡＰＩを利用して取得可能となる。
【００５９】
ツール開始画面提供部１７は、利用アカウント認証部１６での認証処理によって、管理端末７が広告管理ツールにログインした状態になると、広告管理ツールの利用開始を操作可能にする図３に示すようなツール開始画面３１のウェブサイトを管理端末７へと提供する。
【００６０】
ツール開始画面３１は、例えば、図３に示す広告管理開始画面４４の他に、レポート表示画面（図示せず）や投稿管理開始画面（図示せず）を切り換えて表示可能に構成されていて、これらの画面を切り換えるためのメニュータブ４５を備えている。なお、メニュータブ４５は、ツール開始画面３１だけでなく、キャンペーン管理画面３２や広告セット管理画面３３に表示されてもよい。また、ツール開始画面３１は、広告主の固有情報や広告アカウントに関する情報を表示してもよい。
【００６１】
広告管理開始画面４４は、キャンペーン管理画面３２を管理端末７に表示させるためのキャンペーン管理画面ボタン４６を備えていて、ツール開始画面提供部１７は、キャンペーン管理画面ボタン４６の操作に応じて、キャンペーン管理画面提供部１８に対してキャンペーン管理画面３２の表示を指示する。
【００６２】
キャンペーン管理画面提供部１８は、ツール開始画面提供部１７からキャンペーン管理画面３２の表示指示を受けると、広告アカウントに付随するキャンペーンに関する情報を広告サーバー３からＡＰＩを利用して取得すると共に、取得した情報を用いた図４に示すようなキャンペーン管理画面３２のウェブサイトを管理端末７へと提供する。
【００６３】
キャンペーン管理画面３２は、広告アカウントに付随する広告の概要的な情報を示すアカウント情報欄４８と、広告アカウントに付随する全てのキャンペーンの概要的な情報を一覧にして示すキャンペーン表欄４９とを表示する。また、キャンペーン管理画面３２は、サーバー同期ボタン５０を備えていて、キャンペーン管理画面提供部１８は、サーバー同期ボタン５０の操作に応じて広告サーバー３から広告に関する情報を再取得すると共に、キャンペーン管理画面３２を再表示させる。
【００６４】
アカウント情報欄４８には、例えば、広告アカウントに付随する全キャンペーン数、全広告セット数、全掲載広告数、広告に使用された今月分及び先月分の費用を表示する。
【００６５】
キャンペーン表欄４９には、全てのキャンペーンの情報の一覧表が表示され、この一覧表の各キャンペーンの操作項目５１には、キャンペーンについて実行可能な管理項目をドロップダウンリストに適用したキャンペーン管理実行ボタン５２と、キャンペーンのステータスを切換可能なステータスボタン５３とが操作可能に表示されている。また、この一覧表の各キャンペーンの表示項目５４には、「キャンペーン名」、「広告の目的」、「目的のコンバージョン（ＣＶ）数」、「目的のＣＶ単価」、「期待するアクション」、「開始日」、「終了日」、「期待する消化予算」、「予算」、「消化額」、「残高」等が表示される。キャンペーン管理実行ボタン５２には、例えば、「運用管理」、「レポート」、「期待値の設定・編集」等の管理項目が選択可能に表示されていて、キャンペーン管理画面提供部１８は、キャンペーン管理実行ボタン５２によって管理項目が選択操作されると、管理項目毎の管理画面の表示へと処理を移行させる。
【００６６】
本実施形態では特に、キャンペーン管理画面提供部１８は、管理の対象となる一のキャンペーン（対象キャンペーン）についてキャンペーン管理実行ボタン５２によって「運用管理」が選択操作されると、この対象キャンペーンについての広告セット管理画面３３を管理端末７に表示させるために、広告セット管理画面提供部１９に対して広告セット管理画面３３の表示を指示する。また、キャンペーン管理画面提供部１８は、同様にして、「レポート」や「期待値の設定・編集」が選択操作されると、レポート画面（図示せず）や期待値の設定・編集画面（図示せず）を表示させるようにレポート画面提供部（図示せず）や期待値設定・編集画面提供部（図示せず）を動作させる。
【００６７】
広告セット管理画面提供部１９は、キャンペーン管理画面提供部１８から広告セット管理画面３３の表示指示を受けると、広告セット管理画面３３のウェブサイトを管理端末７へと提供する。このとき、広告セット管理画面提供部１９は、キャンペーン管理画面３２で「運用管理」が選択された対象キャンペーンに付随する（含まれる）広告セットに関する情報を広告サーバー３からＡＰＩを利用して取得すると共に、取得した情報を用いて図５、図７、図８に示すような広告セット管理画面３３を生成する。
【００６８】
広告セット管理画面３３は、管理端末７で表示可能な範囲を超えて縦方向（上下方向）に長く形成された場合に、画面を上下方向にスライド可能な画面スライドバーを表示する。図５は、画面スライドバーが上端に位置して、広告セット管理画面３３の上部が管理端末７で表示される状態を示す。図７は、画面スライドバーが上下方向中央付近に位置して、広告セット管理画面３３の上下方向中央付近が管理端末７で表示される状態を示す。図８は、画面スライドバーが下端に位置して、広告セット管理画面３３の下部が管理端末７で表示される状態を示す。
【００６９】
広告セット管理画面３３は、キャンペーン管理画面３２で「運用管理」が選択された対象キャンペーンの操作項目５１や表示項目５２と略同様の内容を示すキャンペーン項目欄５６と、この対象キャンペーンに付随する広告セットの予算や期間の経過情報や効果情報をグラフ表示したグラフ欄５７と、対象キャンペーンに付随する広告セットの概要的な情報を一覧にして示す広告セット表欄５８とを表示する。
【００７０】
また、広告セット管理画面３３は、サーバー同期ボタン５９を備えていて、キャンペーン管理画面提供部１８は、サーバー同期ボタン５９の操作に応じて広告サーバー３から広告に関する情報を再取得すると共に、広告セット管理画面３３を再表示させる。更に、広告セット管理画面３３は、グラフ欄５７に表示されるグラフの種類を変更するためのグラフ選択ボタン６０と、グラフ欄５７のグラフを構成する広告セットの情報を取得すべき期間変更するための期間変更ボタン６１とを備える。
【００７１】
グラフ欄５７は、広告セットの様々な予算や期間の経過情報や効果情報を評価軸（基軸）にして広告セット毎にグラフ化したパラレルコーディネートグラフ６２（図６参照）を初期状態として表示している。グラフ選択ボタン６０は、「パラレルコーディネートグラフ」の他に、「目的のＣＶ数」、「目的のＣＶ単価」、「ＣＶ／インプレッション」、「目的のＣＶＲ」等の時系列グラフを選択可能である。以下では、グラフ欄５７にパラレルコーディネートグラフ６２が表示される場合について説明し、パラレルコーディネートグラフ６２は単にグラフ６２と称する。
【００７２】
グラフ欄５７のグラフ６２では、１つ以上の広告セットをそれぞれ異なる色の折れ線グラフで表示する。このグラフ６２の下方には、折れ線の色と各広告セットのグループ名とを対応付けた組合せ６３を一覧表示している。この組合せ６３の何れかを選択することで、選択された広告セットの折れ線のみを明瞭に表示することもできる。このグラフ６２では、縦軸として複数の評価軸（基軸）を横方向に並べて配置していて、各評価軸は広告セットの様々な予算や期間の経過情報や効果情報を示す。各評価軸の最大値及び最小値は、初期状態では、キャンペーンに付随する広告セットの情報（経過情報や効果情報）の最大値や最小値に応じて定められてよい。各評価軸の経過情報や効果情報の種類は、後述の表示項目設定画面７２（図１１参照）で変更可能である。
【００７３】
グラフ欄５７は、このグラフ６２の各評価軸上をタッチ操作やカーソル操作によるスライド操作することで範囲を絞り込みできるように構成され、評価軸上でスライド操作された指定範囲には、図６に示すように、指定範囲バー６４が表示される。グラフ欄５７は、指定範囲内又は指定範囲外が絞り込み範囲となり、絞り込み範囲内の広告セットを、絞り込み範囲外の広告セットよりも明瞭に表示し、例えば、絞り込み範囲内の広告セットについては上記の各色の折れ線で通常表示し、絞り込み範囲外の広告セットについては通常よりも薄い色の折れ線で表示する。なお、上記のような範囲の絞り込みは、複数の評価軸に対して行うことができる。また、パラレルコーディネートグラフ６２は、各広告セットの折れ線の太さを、絞り込み範囲内の広告セットの数に応じて変化するように構成されてもよい。例えば、絞り込み範囲内の広告セットが多い程、折れ線を太く表示し、絞り込み範囲内の広告セットが少ない程、折れ線を細く表示してもよい。
【００７４】
また、広告セット管理画面３３は、グラフ欄５７のグラフ６２を操作するメニューとして、リセットボタン６５、画像出力ボタン６６、スケールボタン６７、スケール戻しボタン６８、指定範囲モード切換ボタン６９、指定範囲反転ボタン７０、表示項目設定ボタン７１を備える。
【００７５】
リセットボタン６５は、指定範囲やスケールで変更されたグラフ６２を初期状態に戻すために設けられる。画像出力ボタン６６は、現在表示されているグラフ６２を画像出力するために設けられ、例えば、保存用のファイルと、印刷用の高画質ファイルとを選択可能に設けられる。
【００７６】
スケールボタン６７は、グラフ６２を上記の絞り込み範囲内に位置する広告セットのみで再表示するために設けられ、再表示後の各評価軸の最大値及び最小値は、絞り込み範囲内に位置する広告セットに応じて変更される。スケール戻しボタン６８は、スケールボタン６７で変更されたグラフ６２のスケールを元に戻すために設けられ、例えば、直前のスケール操作のみを元に戻すものでよい。
【００７７】
指定範囲モード切換ボタン６９は、指定範囲を絞り込み範囲に含めるか含めないか、即ち、指定範囲内及び指定範囲外の何れを絞り込み範囲に定めるかを切り換えるために設けられる。指定範囲反転ボタン７０は、オン・オフ切換可能になっていて、通常はオフ状態にされているが、オン状態にされると、絞り込み範囲外の広告セットを、絞り込み範囲内の広告セットよりも明瞭に表示し、例えば、絞り込み範囲外の広告セットについては上記の各色の折れ線で通常表示し、絞り込み範囲内の広告セットについては通常よりも薄い色の折れ線で表示する。即ち、指定範囲反転ボタン７０がオン状態にされると、グラフ６２は絞り込み範囲の内外で広告セットの表示を反転させる。
【００７８】
表示項目設定ボタン７１は、各評価軸の経過情報や効果情報の種類を変更するための表示項目設定画面７２（図１１参照）を表示させるために設けられる。表示項目設定画面７２は、図１１に示すように、予算や期間の経過情報や効果情報を個別のチェックボックス７３で表示していて、チェックが付された情報がグラフ６２の評価軸として追加される。
【００７９】
また、グラフ欄５７に「目的のＣＶ数」、「目的のＣＶ単価」、「ＣＶ／インプレッション」、「目的のＣＶＲ」等の時系列グラフが表示される場合について説明する。
【００８０】
グラフ選択ボタン６０で「目的のＣＶ数」、「目的のＣＶ単価」、「ＣＶ／インプレッション」又は「目的のＣＶＲ」が選択操作されると、その直前に広告セット表欄５８のチェックボックス７５で選択された広告セットの時系列グラフがグラフ欄５７に表示される。この時系列グラフでは、選択操作された「目的のＣＶ数」、「目的のＣＶ単価」、「ＣＶ／インプレッション」又は「目的のＣＶＲ」の値が縦軸である基軸に示され、日付毎の基軸が横方向に並べられる。時系列グラフは、パラレルコーディネートグラフ６２と同様に、各基軸上をタッチ操作やカーソル操作によるスライド操作することで範囲を絞り込みできるように構成される。時系列グラフは、横方向には所定期間の基軸を表示していて、広告セットの経過情報や効果情報はその所定期間の範囲で表示される。時系列グラフは、タッチ操作やカーソル操作によって横方向にスライド操作することによって表示される所定期間を前後させることができる。
【００８１】
広告セット表欄５８には、初期状態では、キャンペーンに付随する全ての広告セットの情報からなる一覧表が表示される。また、上記のグラフ欄６２で絞り込み範囲が定められると、広告セット表欄５８には、絞り込み範囲内の広告セットのみの情報からなる一覧表が表示される。
【００８２】
広告セット表欄５８の一覧表の各広告セットの操作項目７４には、広告セット表欄５８に表示された広告セットの内で、後述する管理機能を実行すべき広告セット（以下、対象広告セットと称する）を選択するためのチェックボックス７５と、広告セットのレポート画面（図示せず）を表示させるためのレポートボタン７６と、広告セットのステータスを切換可能なステータスボタン７７と、広告セットに付随する掲載広告（図示せず）をサンプル表示させるためのクリエイティブボタン７８とが操作可能に表示されている。
【００８３】
広告セット表欄５８のチェックボックス７５は、複数の対象広告セットについてオンに設定することが可能である。なお、各広告セットのチェックボックス７５の上方には、全ての広告セットのチェックボックス７５のオン・オフを切り換える全チェックボックス７９が設けられる。各広告セットのクリエイティブボタン７６は、グラフ６２における各広告セットの折れ線の色と同じ色が付され、同じグループ名が示されている。
【００８４】
また、広告セット表欄５８の一覧表の各広告セットの表示項目８０には、「種別」、「配信状態」、「広告セット名」、「広告数」、「ターゲット（性別、年齢）」、「目的のＣＶ数」、「目的のＣＶ単価」、「入札価格」、「入札タイプ」、「開始日」、「終了日」、「残日数」、「予算」、「消化額」、「残高」等が表示される。なお、各広告セットの表示項目８０の上方には、広告セット表欄５８に表示されている広告セットの合計予算残高が表示される。
【００８５】
また、広告セット管理画面３３は、管理機能実行ボタン８１と、広告セット選別ボタン８２とが備えられる。管理機能実行ボタン８１は、広告セット表欄５８のチェックボックス７５がオンになっている対象広告セットについて、様々な管理機能を実行するために設けられ、管理機能実行ボタン８１では、様々な管理機能がドロップダウンリストで選択可能に表示される。
【００８６】
例えば、管理機能には、「年齢や性別の分析と拡張」、「階層化類似オーディエンスでの拡張」、「別ターゲットに複製配信」、「広告成果型類似オーディエンス作成」、「入札価格と予算」、「期間」、「ターゲット修正」、「モニタリングアクション追加」、「プレースメント分析と絞り込み」、「ステータスオン」、「ステータスオフ」等がある。本実施形態では特に、広告セット管理画面提供部１９は、対象広告セットについて、管理機能実行ボタン８１によって「入札価格と予算」が選択操作されると、全ての対象広告セットについての広告セット調整画面３４を管理端末７に表示させるために、広告セット調整画面提供部２０に対して広告セット調整画面３４の表示を指示する。
【００８７】
広告セット調整画面提供部２０は、広告セット管理画面提供部１９から広告セット調整画面３４の表示指示を受けると、広告セット調整画面３４のウェブサイトを管理端末７へと提供する。このとき、広告セット調整画面提供部２０は、広告セット管理画面３３で管理機能実行ボタン８１が操作されたときに全ての対象広告セットに関する情報を用いて図９や図１０に示すような広告セット調整画面３４を生成する。また、広告セット調整画面提供部２０は、広告セット管理画面３３上にポップアップさせて広告セット調整画面３４を表示させてもよい。
【００８８】
広告セット調整画面３４は、広告セット管理画面３３の管理機能実行ボタン８１が操作されたときの全ての対象広告セットについての様々な運用情報の調整画面を表示する。例えば、広告セット調整画面提供部２０は、広告セット管理画面提供部１９で管理機能実行ボタン８１によって「入札価格と予算」が選択操作されると、広告セット調整画面３４として入札価格・予算調整画面８４を表示する。
【００８９】
入札価格・予算調整画面８４は、入札価格調整画面８５と予算調整画面８６とを切り換えて表示可能に構成されていて、例えば、これらの調整画面を切り換えるためのメニュータブ８７を備えている。
【００９０】
入札価格調整画面８５は、設定項目として、一括調整方法選択リスト８８、入札価格入力ボックス８９、入札価格テーブル９０、参考基準値の表示選択リスト９１、性別フィルタ切換ボタン９２及びログメッセージ入力ボックス９３を備え、また、これらの適用に関する戻るボタン９４、リセットボタン９５及び設定ボタン９６を備える。
【００９１】
一括調整方法選択リスト８８は、全ての対象広告セットについて、入札価格を一括して調整する方法をドロップダウンリストに表示していて、例えば、「入札価格を入力した値にする」、「今の入札価格に対して入力した値を加算／減算する」、「今の入札価格に対する％（入力した％の値にする）」、「各ＣＶ単価に対する％（入力した％の値にする）」、「各ＣＰＡに対する％（入力した％の値にする）」、「各ＣＰＣに対する％（入力した％の値にする）」等の方法を選択可能に表示する。入札価格入力ボックス８９は、一括調整方法選択リスト８８で選択されている方法で用いられる入札価格や百分率の値を入力するために備えられる。一括調整方法選択リスト８８や入札価格入力ボックス８９での設定は、設定ボタン９６の操作によって入札価格テーブル９０で表示される入札価格に反映される。
【００９２】
入札価格テーブル９０は、全ての対象広告セットについて、入札価格に関する情報を一覧表示している。入札価格テーブル９０は、例えば、対象広告セット毎の設定項目９７として、チェックボックス９８及び入札価格スライドバー９９を備え、対象広告セット毎の表示項目１００として、「広告セット名」、「性別」、「年齢」、「入札タイプ」、「入札対象」及び「入札価格」を備えている。入札価格テーブル９０は、チェックボックス９８がオンになっている対象広告セットについては、入札価格の変更が可能となるが、チェックボックス９８がオフになっている対象広告セットについては、入札価格の変更が不能になる。
【００９３】
入札価格スライドバー９９は、各対象広告セットの入札価格の量を横方向に延びるバーの長さで可視化したものである。入札価格スライドバー９９は、タッチ操作やカーソル操作によるスライド操作でバーの長さを変えることで、入札価格テーブル９０に表示される各対象広告セットの入札価格を変更することができる。例えば、入札価格スライドバー９９が長くなるほど入力価格が高くなり、入札価格スライドバー９９が短くなるほど入力価格が安くなる。入札価格スライドバー９９は、長さに応じて濃淡が変更するように塗りつぶし色が付けられていて、入札価格スライドバー９９が長くなるほど色が濃くなり、入札価格スライドバー９９が短くなるほど色が薄くなる。
【００９４】
また、各対象広告セットの入札価格スライドバー９９の上方には、平均入札価格スライドバー１０１が備えられている。平均入札価格スライドバー１０１は、各対象広告セットの入札価格の平均入札価格を示したもので、各対象広告セットの入札価格スライドバー９９と同様に構成され、各対象広告セットの入札価格スライドバー９９と連動して伸縮する。即ち、平均入札価格スライドバー１０１を伸縮すると、平均入札価格が増減する。この平均入札価格の増減に合わせて、各対象広告セットの入札価格が増減すると共に入札価格スライドバー９９が伸縮する。また、１つの対象広告セットの入札価格スライドバー９９を伸縮すると、この対象広告セットの入札価格が増減する。この入札価格の増減に合わせて、平均入札価格が増減すると共に平均入札価格スライドバー１０１が伸縮する。
【００９５】
また、入札価格スライドバー９９は、ロック・アンロック切換ボタン１０２を備えていて、ロック・アンロック切換ボタン１０２がアンロック状態になっている場合に、入札価格の変更を可能にし、ロック・アンロック切換ボタン１０２がロック状態になっている場合には、入札価格の変更を不能にする。そのため、平均入札価格スライドバー１０１を伸縮しても、ロック・アンロック切換ボタン１０２がロック状態の入札価格スライドバー９９は伸縮せずに、アンロック状態の他の入札価格スライドバー９９だけが伸縮する。
【００９６】
参考基準値の表示選択リスト９１は、各対象広告セットの入札価格スライドバー９９に重畳して表示される参考基準値をドロップダウンリストに表示していて、例えば、「表示なし」、「ＣＶ単価を表示」、「ＣＰＡを表示」、「ＣＰＣを表示」等の項目を選択可能に表示する。性別フィルタ切換ボタン９２は、対象項目セットのターゲットの性別に応じて、入札価格の変更の可能・不能を切り換えるためのボタンである。ログメッセージ入力ボックス９３は、入札価格を決定した理由等をログとして記載及び記録するために設けられる。
【００９７】
入札価格調整画面８５において、入札価格テーブル９０に表示された各対象広告セットの入札価格が変更されても、入札価格テーブル９０は、戻るボタン９４の操作によって一つ前の状態（直近の変更前の状態）に戻り、また、リセットボタン９５の操作によって初期状態に戻る。入札価格調整画面８５で変更された各対象広告セットの入札価格は、入札価格調整画面８５又は予算調整画面８６に備わるアップデートボタン１１８によって更新され、ＡＰＩを利用して広告サーバー３に対して設定される。
【００９８】
予算調整画面８６は、設定項目として、キャンペーン合計予算入力ボックス１０３、一括調整方法選択リスト１０４、広告セット予算入力ボックス１０５、広告セット予算テーブル１０６、性別フィルタ切換ボタン１０７及びログメッセージ入力ボックス１０８を備え、また、これらの適用に関する戻るボタン１０９、リセットボタン１１０及び設定ボタン１１１を備える。
【００９９】
キャンペーン合計予算入力ボックス１０３は、キャンペーン全体の広告予算を入力するために備えられ、初期状態では予め設定されたキャンペーン全体の広告予算が表示されている。
【０１００】
一括調整方法選択リスト１０４は、全ての対象広告セットについて、予算を一括して調整する方法をドロップダウンリストに表示していて、例えば、「広告セット予算を入力した値にする」、「今の広告セット予算に対して入力した値を加算／減算する」、「今の広告セット予算に対する％（入力した％の値にする）」、「設定予定の入札価格に比例した値を設定する（１００が１：１の比率、マイナスは反比例）」、「ＣＶ単価に比例した値を設定する（１００が１：１の比率、マイナスは反比例）」、「ＣＰＡに比例した値を設定する（１００が１：１の比率、マイナスは反比例）」、「ＣＰＣに比例した値を設定する（１００が１：１の比率、マイナスは反比例）」等の方法を選択可能に表示する。広告セット予算入力ボックス１０５は、一括調整方法選択リスト１０４で選択されている方法で用いられる広告セット予算や百分率の値を入力するために備えられる。一括調整方法選択リスト１０４や広告セット予算入力ボックス１０５での設定は、設定ボタン１１１の操作によって広告セット予算テーブル１０６で表示される広告セット予算に反映される。
【０１０１】
広告セット予算テーブル１０６は、全ての対象広告セットについて、予算に関する情報を一覧表示している。広告セット予算テーブル１０６は、例えば、対象広告セット毎の設定項目１１２として、チェックボックス１１３及び予算スライドバー１１４を備え、対象広告セット毎の表示項目１１５として、「広告セット名」、「性別」、「年齢」、「最低予算額」及び「予算」を備えている。広告セット予算テーブル１０６は、チェックボックス１１３がオンになっている対象広告セットについては、予算の変更が可能となるが、チェックボックス１１３がオフになっている対象広告セットについては、予算の変更が不能になる。
【０１０２】
予算スライドバー１１４は、各対象広告セットの予算の量を横方向に延びるバーの長さで可視化したものである。予算スライドバー１１４は、タッチ操作やカーソル操作によるスライド操作でバーの長さを変えることで、広告セット予算テーブル１０６に表示される各対象広告セットの予算を変更することができる。例えば、予算スライドバー１１４が長くなるほど予算が高くなり、予算スライドバー１１４が短くなるほど予算が安くなる。図１２に示すように、予算スライドバー１１４では、最低予算額の量を示す固定表示部分１１９と、最低予算額を超えた量（予算−最低予算額）を示す伸縮可能部分１２０とが表示される。予算スライドバー１１４は、固定表示部分１１９を下回って短くすることができない。また、各対象広告セットの予算スライドバー１１４は、当該対象広告セットの予算と他の広告セットの予算との合計がキャンペーン全体の広告予算を上回る程に長くすることもできない。予算スライドバー１１４は、固定表示部分１１９と、伸縮可能部分１２０とが異なる塗りつぶし色で表示される。予算スライドバーの伸縮可能部分１２０は、長さに応じて濃淡が変更するように塗りつぶし色が付けられていて、予算スライドバー１１４が長くなるほど色が濃くなり、予算スライドバー１１４が短くなるほど色が薄くなる。
【０１０３】
また、各対象広告セットの予算スライドバー１１４の上方には、合計予算スライドバー１１６が備えられている。合計予算スライドバー１１６は、キャンペーン全体の広告予算（キャンペーン合計予算入力ボックス１０３に表示された予算）の量を全長として有している。合計予算スライドバー１１６では、対象広告セット以外にキャンペーンに含まれる他の全ての広告セットの予算の量を示す第１固定表示部分１２１と、全ての対象広告セットの最低予算額の量を示す第２固定表示部分１２２と、これらを合わせた額を超えた量を示す伸縮可能部分１２３とが表示される。即ち、合計予算スライドバー１１６では、全長から第１固定表示部分１２１を除いた部分に、全ての対象広告セットの予算の量が表示される。合計予算スライドバー１１６は、第１固定表示部分１２１及び第２固定表示部分１２２を下回って短くすることができず、キャンペーン全体の広告予算を上回る程に長くすることもできない。そして、合計予算スライドバー１１６の伸縮可能部分１２３は、各対象広告セットの予算スライドバー１１４と連動して伸縮する。即ち、合計予算スライドバー１１６を伸縮すると、広告予算が増減する。この広告予算の増減に合わせて、各対象広告セットの予算が増減すると共に予算スライドバー１１４が伸縮する。また、各対象広告セットの予算スライドバー１１４は、広告予算内各対象広告セットの合計予算が広告予算内に収まるように、連動して収縮する。即ち、１つの対象広告セットの予算スライドバー１１４を伸長又は短縮すると、この対象広告セットの予算が増加又は減少する。各対象広告セットの合計予算が広告予算内に収まるように、この対象広告セットの予算の増加又は減少に合わせて、他の対象広告セットの予算が減少又は増加すると共に他の対象広告セットの予算スライドバー１１４が短縮又は伸長する。
【０１０４】
また、各対象広告セットの予算スライドバー１１４及び合計予算スライドバー１１６は、ロック・アンロック切換ボタン１１７を備えていて、ロック・アンロック切換ボタン１１７がアンロック状態になっている場合に、予算の変更を可能にし、ロック・アンロック切換ボタン１１７がロック状態になっている場合には、予算の変更を不能にする。そのため、合計予算スライドバー１１６を伸縮しても、ロック・アンロック切換ボタン１１７がロック状態の予算スライドバー１１４は伸縮せずに、アンロック状態の他の予算スライドバー１１４だけが伸縮する。また、１つの対象広告セットの予算スライドバー１１４を伸長又は短縮しても、ロック・アンロック切換ボタン１１７がロック状態の予算スライドバー１１４は伸縮せずに、アンロック状態の他の予算スライドバー１１４だけが伸縮する。
【０１０５】
性別フィルタ切換ボタン１０７は、対象項目セットのターゲットの性別に応じて、予算の変更の可能・不能を切り換えるためのボタンである。ログメッセージ入力ボックス１０８は、予算を決定した理由等をログとして記載及び記録するために設けられる。
【０１０６】
予算調整画面８６において、キャンペーン合計予算入力ボックス１０３に表示された予算や、広告セット予算テーブル１０６に表示された各対象広告セットの予算が変更されても、広告セット予算テーブル１０６は、戻るボタン１０９の操作によって一つ前の状態（直近の変更前の状態）に戻り、また、リセットボタン１１０の操作によって初期状態に戻る。予算調整画面８６で変更された各対象広告セットの予算は、予算調整画面に備わるアップデートボタン１１８によって更新され、ＡＰＩを利用して広告サーバー３に対して設定される。
【０１０７】
本実施形態では、上述のように、広告管理システム１は、広告サーバー３と、広告管理装置４と、を備える。広告サーバー３は、ソーシャルネットワーキングサービス（ＳＮＳ）に付随して掲載されるＳＮＳ広告のようにインターネットを利用してウェブサイトに掲載されるインターネット広告（以下、単に広告と称する）の広告主に対して広告アカウントを割り当てる。また、広告サーバー３は、広告主に対して広告の目的を示す１つ以上のキャンペーンを設定可能にし、１つ以上のキャンペーンのそれぞれについて広告の運用情報の組合せを示す１つ以上の広告セットを設定可能にし、１つ以上の広告セットのそれぞれについて１つ以上の掲載広告を設定可能に構成されている。更に、広告サーバー３は、１つ以上の広告セットのそれぞれについて各広告セットの効果を示す複数の効果情報を収集するように構成される。広告管理装置４は、広告サーバー３に接続されて、キャンペーン、広告セット及び掲載広告の確認及び調整が可能に構成されている。更に、広告管理装置４は、キャンペーン管理画面提供部１８と、広告セット管理画面提供部１９と、広告セット調整画面提供部２０と、を備える。キャンペーン管理画面提供部１８は、１つ以上のキャンペーンの中から対象キャンペーンを選択可能とするキャンペーン管理画面３２を管理端末７に表示させる。広告セット管理画面提供部１９は、キャンペーン管理画面３２で選択された対象キャンペーンに含まれる１つ以上の広告セットを、複数の効果情報を基軸としたパラレルコーディネートグラフによって表示すると共に、１つ以上の広告セットの中から１つ以上の対象広告セットを選択可能とする広告セット管理画面３３を管理端末７に表示させる。広告セット調整画面提供部２０は、広告セット管理画面３３で選択された１つ以上の対象広告セットのそれぞれに含まれる運用情報を調整可能とする広告セット調整画面３４を管理端末７に表示させる。
【０１０８】
このような構成により、本実施形態によれば、多数の広告セットの多数の運用情報や効果情報をパラレルコーディネートグラフで表示した広告セット管理画面３３を管理端末７へと提供する。そのため、広告主や管理者は、多数の広告セットの多数の運用情報や効果情報を比較しつつ確認することが容易になる。これにより、広告主や管理者の広告の管理作業の負担が軽減され、データの読み違え等を防止することが可能となる。更に、広告セットの運用情報について調整が必要なものを即座に検出することができ、また、運用情報の調整が必要な広告セットの選択操作によって、広告セット調整画面３４を導くことができる。そのため、広告セットの運用情報の調整までの手順が簡略化され、広告の管理作業が最適化される。
【０１０９】
また、本実施形態によれば、広告管理システム１において、広告セット管理画面提供部１９は、パラレルコーディネートグラフにおける基軸に沿ったスライド操作によって範囲を指定可能で、且つ、当該指定範囲に基づいて絞り込み範囲を決定可能に構成される。また、広告セット管理画面提供部１９は、パラレルコーディネートグラフにおいて、絞り込み範囲内の広告セットを絞り込み範囲外の広告セットよりも明瞭に表示すると共に、絞り込み範囲内の広告セットのみを対象広告セットとして選択可能にするように構成される。
【０１１０】
このような構成により、広告主や管理者は、パラレルコーディネートグラフを用いて絞り込み範囲を容易に決定し、運用情報の調整が必要な広告セットを容易に検出することができる。従って、広告主や管理者は、運用情報の調整が必要な広告セットについて、即座に広告セット調整画面３４まで導かれるため、広告の管理作業が最適化される。
【０１１１】
更に、本実施形態によれば、広告管理システム１において、広告サーバー３は、運用情報として入札価格を設定可能である。広告セット調整画面提供部２０は、広告セット管理画面３３で選択された１つ以上の対象広告セットのそれぞれの入札価格をスライド調整可能な入札価格スライドバー９９で表示する。また、広告セット調整画面提供部２０は、１つ以上の対象広告セットの平均の入札価格を一括してスライド調整可能な平均入札価格スライドバー１０１で表示するように構成される。
【０１１２】
また、本実施形態によれば、広告管理システム１において、広告サーバー３は、運用情報として予算を設定可能である。広告セット調整画面提供部２０は、広告セット管理画面３３で選択された１つ以上の対象広告セットのそれぞれの予算をスライド調整可能な予算スライドバー１１４で表示する。また、広告セット調整画面提供部２０は、１つ以上の対象広告セットの予算を一括してスライド調整可能な合計予算スライドバー１１６で表示するように構成される。
【０１１３】
これらのような構成により、広告主や管理者は、複数の広告セットについて比較及び確認しつつ入札価格や予算を容易に修正することが可能となる。
【０１１４】
また、本実施形態によれば、広告管理システム１において、広告セット調整画面提供部２０は、広告セット調整画面３４を広告セット管理画面３３からポップアップで表示する。
【０１１５】
このような構成により、広告セットの運用情報の調整の前後で、広告セット管理画面３３がリロードされたり各広告セットの効果情報が書き換えられたりすることがなく、広告主や管理者の混乱を回避することができる。
【０１１６】
また、本実施形態によれば、広告管理システム１において、広告セット調整画面提供部２０は、広告セット管理画面３３で選択された１つ以上の対象広告セットのそれぞれの入札価格を一括して調整する複数種類の一括調整方法を列挙した一括調整方法選択リスト８８を広告セット調整画面３４に表示する。そして、広告セット調整画面提供部２０は、一括調整方法選択リスト８８で選択された一括調整方法に基づいて、１つ以上の対象広告セットを一括して調整可能に構成される。
【０１１７】
このような構成により、複数の対象広告セットの入札価格について所望の一括調整方法で一括して調整することができ、広告主や管理者の手間を軽減することができる。
【０１１８】
また、本実施形態によれば、広告管理システム１において、広告セット調整画面提供部２０は、１つ以上の対象広告セットのそれぞれに対応する入札価格スライドバー１０１を個々にロック可能なロック・アンロック切換ボタン１０２を広告セット調整画面３４に表示する。そして、広告セット調整画面提供部２０は、ロック・アンロック切換ボタン１０２でロックされていない入札価格スライドバー１０１のみを調整可能に構成される。
【０１１９】
このような構成により、広告セット調整画面３４に多数の対象広告セットが表示された場合でも、調整の必要がない対象広告セットについて入札価格スライドバー１０１をロックすることによって入札価格の設定を維持しつつ、他の調整が必要な対象広告セットの入札価格のみを調整することができる。
【０１２０】
また、本実施形態によれば、広告管理システム１において、広告セット調整画面提供部２０は、広告セット管理画面３３で選択された１つ以上の対象広告セットのそれぞれの予算を一括して調整する複数種類の一括調整方法を列挙した一括調整方法選択リスト１０４を広告セット調整画面３４に表示する。そして、広告セット調整画面提供部２０は、一括調整方法選択リスト１０４で選択された一括調整方法に基づいて、１つ以上の対象広告セットを一括して調整可能に構成される。
【０１２１】
このような構成により、複数の対象広告セットの予算について所望の一括調整方法で一括して調整することができ、例えば、設定する入札価格や、実際の単価に合わせて予算の自動配分をすることができるため、広告主や管理者の手間を軽減することができる。
【０１２２】
また、本実施形態によれば、広告管理システム１において、広告セット調整画面提供部２０は、合計予算スライドバー１１６を対象キャンペーンの全体の予算の範囲内で調整可能に表示する。
【０１２３】
このような構成により、数値を入力する必要も、計算する必要もなく、視覚的及び感覚的に設定可能なキャンペーン予算範囲内で、かつ、合計金額を確認しながら広告セットの予算を全体的に上げる又は下げる調整が可能になる。これにより、逐次数値を入れて確認するのではなく、スライドの動きに付随して各広告セットの予算が変更されるため、単純に予算を上げる又は下げる調整を、素早く行うことが可能になる。
【０１２４】
また、本実施形態によれば、広告管理システム１において、広告セット調整画面提供部２０は、１つ以上の対象広告セットのそれぞれに対応する予算スライドバー１１４及び合計予算スライドバー１１６を個々にロック可能なロック・アンロック切換ボタン１１７を広告セット調整画面３４に表示する。そして、広告セット調整画面提供部２０は、ロック・アンロック切換ボタン１１７でロックされていない予算スライドバー１１４及び合計予算スライドバー１１６のみを調整可能に構成される。
【０１２５】
このような構成により、広告セット調整画面３４に多数の対象広告セットが表示された場合でも、調整の必要がない対象広告セットの予算スライドバー１１４や合計予算スライドバー１１６をロックすることによって予算の設定を維持しつつ、他の調整が必要な対象広告セットの予算のみを調整することができる。
【０１２６】
上記したように、本発明の広告管理システム１及び広告管理装置４によれば、ＳＮＳサーバー２等のウェブサーバーや広告サーバー３とは独立して広告を管理することができる。そして、インターネット広告の管理作業の負担やその運用情報の調整の負担を軽減し、インターネット広告の利用向上を図ることが可能である。
【０１２７】
本実施形態では、広告セット管理画面提供部１９で管理機能実行ボタン８１によって「入札価格と予算」が選択操作されると、広告セット調整画面提供部２０が広告セット調整画面３４として入札価格・予算調整画面８４を表示する構成を説明した。しかしながら、本発明において、広告セット調整画面３４で表示される運用情報の調整画面はこれに限定されない。
【０１２８】
例えば、他の実施形態では、広告セット調整画面提供部２０は、広告セット管理画面提供部１９で管理機能実行ボタン８１によって「ターゲット修正」が選択操作されたときに、広告セット調整画面３４としてターゲット修正画面（図示せず）を表示するように構成されてよい。ターゲット修正画面（図示せず）は、各対象広告セットの広告を掲載するターゲットを修正可能とする調整画面である。ターゲット修正画面は、例えば、広告セット名、カスタムオーディエンス、地域、年齢、性別、言語、プレースメント、コネクション、恋愛対象、交際関係、ターゲット要素、興味・関心、学歴、専攻、在籍期間、勤務先、役職等の項目を修正するために、入力ボックス、ドロップダウンリスト、切換ボタン、検索ボタン等を備える。
【０１２９】
また、例えば、他の実施形態では、広告セット調整画面提供部２０は、広告セット管理画面提供部１９で管理機能実行ボタン８１によって「期間」が選択操作されたときに、広告セット調整画面３４として期間調整画面（図示せず）を表示するように構成されてよい。期間調整画面（図示せず）は、各対象広告セットの広告を掲載する期間を設定可能とする調整画面である。期間調整画面は、例えば、開始日及び終了日を一括して設定するための入力ボックスやカレンダーを備え、また、各対象広告セットの広告を掲載する時間帯を指定するために時間帯の入力ボックスや１週間のヒートマップを備える。
【０１３０】
本実施形態では、ソーシャルネットワーキングサービス（ＳＮＳ：Ｓｏｃｉａｌ  Ｎｅｔｗｏｒｋｉｎｇ  Ｓｅｒｖｉｃｅ）を提供する広告管理システム１や広告管理装置４に本発明の構成を適用する場合について説明したが、他の異なる実施形態では、インターネットを利用してオンラインでインターネット広告を提供可能な他のシステムや装置に本発明の構成を適用してもよい。
【０１３１】
例えば、図１３に示すように、他の異なる実施形態の広告管理システム２０１では、ウェブサーバーである配信サーバー（メディアサーバー）２０２と、上記の広告サーバー３と同様の広告サーバー２０３と、上記の広告管理装置４と同様の広告管理装置２０４と、データ取得管理サーバー２０５とが、インターネット等のネットワーク２０６上に設けられている。例えば、広告管理システム２０１は、配信サーバー２０２がＳＳＰ（Ｓｕｐｐｌｙ−Ｓｉｄｅ  Ｐｌａｔｆｏｒｍ）を利用し、広告サーバー２０３がＤＳＰ（Ｄｅｍａｎｄ−Ｓｉｄｅ  Ｐｌａｔｆｏｒｍ）を利用して、広告のリアルタイム入札（ＲＴＢ：Ｒｅａｌ  Ｔｉｍｅ  Ｂｉｄｄｉｎｇ）を実現するように構成される。
【０１３２】
配信サーバー２０２は、広告サーバー２０３から配信される広告を表示可能な広告枠を有するウェブサイトを配信するサーバーであれば、特に限定されない。例えば、配信サーバー２０２には、企業サイト、検索エンジンサイト、ＥＣサイト、動画や音楽等のコンテンツ配信サイト等のウェブサイトを配信するサーバーがある。
【０１３３】
データ取得管理サーバー２０５は、配信サーバー２０２によってウェブサイトの配信と共に提供される色々なサービスで活用されるユーザー等のパーソナルデータを収集・管理するサーバーであり、例えば、ＤＭＰ（Ｄａｔａ  Ｍａｎａｇｅｍｅｎｔ  Ｐｌａｔｆｏｒｍ）を利用するように構成される。データ取得管理サーバー２０５で収集・管理されるパーソナルデータは、配信サーバー２０２だけでなく、広告サーバー２０３や広告管理装置２０４によって広告の配信や管理のために利用される。配信サーバー２０２を運営する事業者と、データ取得管理サーバー２０５を運営する事業者とは、同一の又は関連する事業者でもよく、あるいは、異なる事業者でもよい。
【０１３４】
なお、広告管理システム２０１では、複数の配信サーバー２０２、複数の広告サーバー２０３及び複数のデータ取得管理サーバー２０５が設けられてよいが、図１３では、配信サーバー２０２、広告サーバー２０３及びデータ取得管理サーバー２０５は、説明の便宜上、それぞれ１つずつ図示されている。また、１つの広告サーバー２０３が１つ以上の配信サーバー２０２で配信されるウェブサイトに広告を配信することも可能である。更に、広告管理装置２０４は、複数の広告サーバー２０３でそれぞれ提供される複数の広告サービスを管理することが可能である。
【０１３５】
また、広告管理システム２０１では、ユーザー端末６と同様のユーザー端末２０７や、管理端末７と同様の管理端末２０８が、ネットワーク２０６に接続される。ユーザー端末２０７は、配信サーバー２０２から配信されるウェブサイトを表示する端末である。管理端末２０８は、広告サーバー２０３を利用して広告を配信する広告主やこの広告主から広告の管理を許可された管理者等によって操作される端末である。ユーザー端末２０７は、配信サーバー２０２に対してアカウントを有するアカウントユーザーの端末でもよく、あるいは、アカウントを有していないゲストユーザーの端末でもよい。
【０１３６】
他の異なる実施形態の広告管理システム２０１及び広告管理装置２０４によれば、上記した実施形態の広告管理システム１及び広告管理装置４と同様にインターネット広告を管理することができるため、同様の効果を発揮することができる。従って、本発明は、他の異なる実施形態の広告管理システム２０１及び広告管理装置２０４においても、配信サーバー２０２や広告サーバー２０３とは独立して広告を管理することができる。そして、インターネット広告の管理作業の負担やその運用情報の調整の負担を軽減し、インターネット広告の利用向上を図ることが可能である。
【図１】
2017029855.tif 000003
【図２】
2017029855.tif 000004
【図３】
2017029855.tif 000005
【図４】
2017029855.tif 000006
【図５】
2017029855.tif 000007
【図６】
2017029855.tif 000008
【図７】
2017029855.tif 000009
【図８】
2017029855.tif 000010
【図９】
2017029855.tif 000011
【図１０】
2017029855.tif 000012
【図１１】
2017029855.tif 000013
【図１２】
2017029855.tif 000014
【図１３】
2017029855.tif 000015
【国際調査報告】
2017029855.tif 000016
2017029855.tif 000017
2017029855.tif 000018
2017029855.tif 000019